(57)【要約】    【課題】  絡み及びもつれを生じることなく、最下層まで円滑に溶接用ワイヤを巻き解くことができる溶接ワイヤ収納容器及び容器入り溶接ワイヤを提供する。    【解決手段】  外筒１をかしめることにより底板５が保持されている容器内に、溶接ワイヤ１０ａを円軌跡に沿って中心軸を移動させながら巻回する。そして、巻回された溶接ワイヤコイル１０の上に、帯状部材を丸めて形成した管部２ａの下部内縁から複数の羽根部２ｂが延出している押さえ治具２を載置し、更に、この押さえ治具２の羽根部２ｂ上に、外径が外筒１の最小内径よりも小さい環状平板３を載置して容器入り溶接ワイヤにする。【選択図】    図１
2005169449.tif 000002
【特許請求の範囲】
【請求項１】
溶接ワイヤのコイルが収納される溶接ワイヤ収納容器において、外筒と、前記外筒をかしめることにより前記外筒の内部に保持され底部を形成する底板と、前記溶接ワイヤコイル上に載置され前記溶接コイルワイヤの減少に伴い下方に移動する押さえ治具と、この押さえ治具上に載置され外径が前記外筒の最小内径よりも小さい環状部材と、を有し、前記押さえ治具は、帯状部材を丸めることにより形成され径の大きさが調節可能な管部と、この管部の下部内縁から中心に向かって延出する複数の羽根部とを備え、前記溶接ワイヤを引き出したときに、前記環状部材が前記押さえ治具に対する錘となることを特徴とする溶接ワイヤ収納容器。
【請求項２】
前記溶接ワイヤは円軌道に沿うように中心軸を移動させながら中央部に円柱状の空洞が形成されるように積層され、前記環状部材は前記溶接ワイヤコイルの前記空洞と同軸的に載置されることを特徴とする請求項１に記載の溶接ワイヤ収納容器。
【請求項３】
前記底板上に固定され前記外筒の内部に前記外筒と同軸的に配置された内筒を有し、前記環状部材の内径は前記内筒の外径よりも大きいことを特徴とする請求項２に記載の溶接ワイヤ収納容器。
【請求項４】
前記押さえ治具の前記羽根部は、透明な樹脂により形成されていることを特徴とする請求項１乃至３のいずれか１項に記載の溶接ワイヤ収納容器。
【請求項５】
前記押さえ治具の前記羽根部は、前記管部側の端部が内側に折り曲げられていることを特徴とする請求１乃至４のいずれか１項に記載の溶接ワイヤ収納容器。
【請求項６】
前記羽根部の先端部が内側に折り曲げられていることを特徴とする請求項５に記載の溶接ワイヤ収納容器。
【請求項７】
前記押さえ治具の前記管部は、前記帯状部材を両端部が重なり合うように丸めることにより形成されていることを特徴とする請求項１乃至６のいずれか１項に記載の溶接ワイヤ収納容器。
【請求項８】
前記環状部材の上面に複数個の錘が等間隔に配置されていることを特徴とする請求項１乃至７のいずれか１項に記載の溶接ワイヤ収納容器。
【請求項９】
前記環状部材は縦断面が矩形の金属製のリングであることを特徴とする請求項１乃至７のいずれか１項に記載の溶接ワイヤ収納容器。
【請求項１０】
前記外筒の上部に前記溶接ワイヤコイルの巻き解き終端部が係止される留め具が設けられており、この留め具に係止された前記溶接ワイヤコイルの巻き解き終端部と次に巻き解かれる容器に収納されている溶接ワイヤコイルの巻き解き始端部とが繋ぎ合わされて、複数の溶接ワイヤコイルが連続して巻き解かれることを特徴とする請求項１乃至９のいずれか１項に記載の溶接ワイヤ収納容器。
【請求項１１】
請求項１乃至１０のいずれか１項に記載の溶接ワイヤ収納容器内に溶接ワイヤのコイルが収納されていることを特徴とする容器入り溶接ワイヤ。
【発明の詳細な説明】
【技術分野】
【０００１】
本発明は、溶接ワイヤのコイルを収納する溶接ワイヤ収納容器及び容器入り溶接ワイヤに関し、特に、ソリッドワイヤ等の剛性が大きい溶接ワイヤにも適用可能な溶接ワイヤ収納容器及び容器入り溶接ワイヤに関する。
【背景技術】
【０００２】
ソリッドワイヤ及びフラックス入りワイヤ等の溶接用ワイヤを収納する容器としては、一般に、有底筒状のペイル容器が使用されている（例えば、特許文献１及び２参照）。図７（ａ）は従来の容器入り溶接ワイヤを模式的に示す斜視図であり、図７（ｂ）はその断面図であり、図７（ｃ）は押さえ板を示す斜視図である。図７（ａ）及び（ｂ）に示すように、従来の容器入り溶接ワイヤは、外筒１０１の内部に底部を形成する底板１０５が保持されている容器内に、溶接ワイヤ１００ａが円軌跡に沿って中心軸を移動させるようにして巻回されて収納されている。なお、従来の溶接ワイヤ収納容器においては、外筒１０１よりも小径の内筒１０６が外筒１０１と同軸的に設けられていることもある。
【０００３】
通常、容器入り溶接ワイヤは、容器に収納された状態で巻き解かれる。このため、巻き解きの際に、溶接ワイヤ１００ａが絡んだり、もつれたりすることがある。そこで、従来の容器入り溶接ワイヤにおいては、溶接ワイヤコイル１００上に、図７（ｃ）に示すような環状の押さえ板１０２を載置し、この押さえ板１０２で溶接ワイヤコイル１００を下方に押圧することにより、巻き解かれたワイヤがはね上がり、絡み合うことを防止している。従来の溶接ワイヤ収納容器における押さえ板１０２は、外径が外筒１０１の内径よりも僅かに小さく、内筒を備えている収納容器の場合、内径は内筒１０６の外径よりも僅かに大きくなっている。そして、溶接ワイヤ１００ａは内筒１０６と押さえ板１０２との間の隙間から巻き解かれる。なお、押さえ板１０２は、上下方向に移動可能であるため、溶接ワイヤ１００ａが巻き解かれることによって、溶接ワイヤコイル１００の高さが変化しても、押さえ板１０２は常に溶接ワイヤコイル１００の上に載置されている。
【０００４】
従来、巻き解き時の絡み防止のため、帯板状の縦壁部に複数の弾性内向片が設けられた押さえ板も提案されている（特許文献３参照）。この押さえ板は、円環状に丸められ、縦壁部が外筒の内面に、弾性内向片が溶接ワイヤ上面に夫々接するようにして溶接ワイヤコイル上に載置される。そして、溶接ワイヤは押さえ板の弾性内向片の縁部に接触しながら上方に引き出される。
【０００５】
また、従来の溶接ワイヤ収納容器においては、押さえ板１０２と外筒１０１との間の隙間から溶接ワイヤが飛び出すことを防止するため、押さえ板１０２及び溶接ワイヤコイル１００と外筒１０１との間に外筒１０１の高さ方向に延びる複数本のひも１０８が配置されている。更に、押さえ板１０２上には縦断面が円形のリング１０３が配置されており、このリング１０３は、ひも１０８と外筒１０１との間に、外筒１０１と同軸的に配置されている。そして、リング１０３はひも１０８を介して押さえ板１０２上に保持され、押さえ板１０２に追従して移動する。更に、連続して巻き解く場合に、次の収納容器へ円滑に移行するため、溶接ワイヤ１００ａの巻回始端、即ち、溶接ワイヤ１００ａの巻き解き終端は、外筒１０１の内面上部に設けられた複数のクランプ１０７により係止されている。そして、この巻き解き終端（巻回始端）と、次に巻き解く容器入り溶接ワイヤの巻き解き始端とを繋ぐことにより、複数の容器入り溶接ワイヤを連続して巻き解くことができる（特許文献４参照）。
【０００６】
しかしながら、従来の溶接ワイヤ収納用容器は、図７（ｂ）に示すように、外筒１０１の下端部をかしめることにより、底板１０５が固定されている。このかしめ部は、底板１０５を外筒１０１に挿入する際の位置決めを容易にし、底板１０５を固定するためのカール加工時にガイドを当てて補助するためのものであるが、溶接ワイヤコイル１００ａを巻き解く際に、押さえ板１０２が他の部分より内径が小さいかしめ部で保持されてしまう。このため、かしめ部より下にある溶接ワイヤコイル１００を押さえることができず、かしめ部と底板１０５との間にあるワイヤが跳ね上がり、絡み及びばらけが発生するという問題点がある。
【０００７】
そこで、底板１０５の上に板等を積層して、容器の底を嵩上げする方法が検討されている。図８は底が嵩上げされた溶接ワイヤ収納容器を示す断面図である。この溶接ワイヤ収納容器は、外径がかしめ部に挿入可能な大きさで、厚さがかしめ部の高さと同等である円盤１０９が、底板１０５上に接着剤等により接合されている。これにより、容器の底が嵩上げされ、最下層の溶接ワイヤの上面がかしめ部よりも上になるため、押さえ板１０２により最下層の溶接ワイヤまで押さえることができる。
【０００８】
また、内径が内筒の外径よりも大きく外径が外筒の最小内径よりも小さい環状平板１２１に、複数の短冊状の羽根材をその内側及び外側に突出するように取り付けた押さえ板を備えた溶接ワイヤ収納容器も検討されている（特許文献５参照。）。図９はこの溶接ワイヤ収納容器の押さえ板を示す平面図である。この押さえ板１２０は、環状平板１２１により溶接ワイヤコイルを下方に押圧し、羽根材１２２により外筒側及び内筒側の溶接ワイヤが飛び出すことを防止するものである。この押さえ板１２０は、外径がかしめ部の内径よりも小さく、かしめ部にも入り込むことができるため、最下層の溶接ワイヤまで押さえることができる。
【０００９】
【特許文献１】特公昭５９−８４７４号公報  （第１−２頁、第１−４図）
【特許文献２】特公平３−３４４２４号公報  （第２−３、第１図）
【特許文献３】特開平１０−２１８４９３号公報  （第３−４、第１−３図）
【特許文献４】特公平１−１５３５３号公報  （第２−３頁、第３図）
【特許文献５】特開平２−１４７５６６号公報  （第３−５頁、第２図）
【発明の開示】
【発明が解決しようとする課題】
【００１０】
しかしながら、前述の従来の技術には以下に示す問題点がある。図８に示す従来の底を嵩上げした溶接ワイヤ収納容器は、押さえ板１０２により溶接ワイヤコイル１００の最下層まで押さえることができるようにはなるが、円盤１０９と外筒１０１との間に隙間が生じ、この隙間にワイヤが挟まって送給が停止するという問題点がある。このように、溶接ワイヤコイルの残量が少なくなり、容器の底部付近で送給停止等のトラブルが発生すると、複数の容器入り溶接ワイヤを連続して使用する場合に、容器内に収納されている全ての溶接ワイヤを円滑に引き出すことができなくなり、次の容器に移行できなくなる。また、円盤１０９の厚さをより厚くして、容器の底をかしめ部よりも上方に設定することにより円盤１０９と外筒１の内面との隙間をなくすことは可能であるが、底の嵩上げ量が多くなると、容器に収納できるワイヤの量が少なくなり使用時の作業性が低下すると共に、製造コストが増加するため好ましくない。
【００１１】
更に、図９に示す押さえ板１２０を備えた溶接ワイヤ収納容器は、溶接ワイヤコイルの押さえ板１２０と外筒との間の部分が羽根材１２２により数カ所押さえられているだけであるため、外筒側の溶接ワイヤが飛び出す虞がある。また、この押さえ板１２０は、内側に突出した羽根材１２２が内筒の外面に接触し、外側に突出した羽根材１２２が外筒の内面に接触しながら下方に移動するため、斜め傾きやすく、ワイヤの絡みおよびもつれが発生しやすいという問題点がある。
【００１２】
本発明はかかる問題点に鑑みてなされたものであって、絡み及びもつれを生じることなく、最下層まで円滑に溶接用ワイヤを巻き解くことができる溶接ワイヤ収納容器及び容器入り溶接ワイヤを提供することを目的とする。
【課題を解決するための手段】
【００１３】
本願第１発明に係る溶接ワイヤ収納用容器は、溶接ワイヤのコイルが収納される溶接ワイヤ収納容器において、外筒と、前記外筒をかしめることにより前記外筒の内部に保持され底部を形成する底板と、前記溶接ワイヤコイル上に載置され前記溶接コイルワイヤの減少に伴い下方に移動する押さえ治具と、この押さえ治具上に載置され外径が前記外筒の最小内径よりも小さい環状部材と、を有し、前記押さえ治具は、帯状部材を丸めることにより形成され径の大きさが調節可能な管部と、この管部の下部内縁から中心に向かって延出する複数の羽根部とを備え、前記溶接ワイヤを引き出したときに、前記環状部材が前記押さえ治具に対する錘となることを特徴とする。
【００１４】
本発明においては、押さえ治具の管部が外筒の内側面に接触しながら移動するため、外筒側の溶接ワイヤがはね上がることを防止することができる。また、環状部材の外径が外筒のかしめ部の内径よりも小さいため、溶接ワイヤ巻き解き時に管部がかしめ部より下方に移動できなくなった場合でも、羽根部及び環状部材はかしめ部よりも下方に入り込むことができ、かしめ部よりも下方の溶接ワイヤコイルも押さえることができる。その結果、最下層の溶接ワイヤまで絡み及びもつれを生じることなく、円滑に巻き解くことができる。
【００１５】
本発明の溶接ワイヤ収納用容器においては、前記溶接ワイヤは円軌道に沿うように中心軸を移動させながら中央部に円柱状の空洞が形成されるように積層され、前記環状部材は前記溶接ワイヤコイルの前記空洞と同軸的に載置されてもよい。
【００１６】
また、本発明の溶接ワイヤ収納用容器は、前記底板上に固定され前記外筒の内部に前記外筒と同軸的に配置された内筒を有していてもよく、その場合、前記環状部材の内径は前記内筒の外径よりも大きいことが好ましい。
【００１７】
更に、前記押さえ治具の前記羽根部は、例えば、透明な樹脂により形成されていることが好ましい。これにより、開口部等を形成しなくても、溶接コイルの残量を容易に確認することができる。
【００１８】
更にまた、前記押さえ治具の前記羽根部は、前記管部側の端部が内側に折り曲げられていてもよく、更に、前記羽根部の先端部が内側に折り曲げられていてもよい。これにより、前記羽根部が前記外筒のかしめ部に入り込みやすくなり、かしめ部における溶接ワイヤの絡み及びもつれを防止する効果が向上する。
【００１９】
更にまた、前記押さえ治具の前記管部は、前記帯状部材を両端部が重なり合うように丸めることにより形成されていてもよい。
【００２０】
更にまた、前記環状部材の上面に複数個の錘が等間隔に配置されていてもよい。なお、この等間隔とは、実質的に等間隔であり、多少の間隔の変動も許容されるものである。又は、前記環状部材は縦断面が矩形の金属製のリングでもよい。
【００２１】
更にまた、前記外筒の上部に前記溶接ワイヤコイルの巻き解き終端部が係止される留め具が設けられていてもよく、その場合、この留め具に係止された前記溶接ワイヤコイルの巻き解き終端部と次に巻き解かれる容器に収納されている溶接ワイヤコイルの巻き解き始端部とが繋ぎ合わされて、複数の溶接ワイヤコイルが連続して巻き解かれる。
【００２２】
本願第２発明に係る容器入り溶接ワイヤは、前述の溶接ワイヤ収納容器内に溶接ワイヤのコイルが収納されていることを特徴とする。
【発明の効果】
【００２３】
本発明によれば、環状部材の外径が外筒のかしめ部の内径よりも小さいため、管部がかしめ部より下方に移動できなくなった場合でも、羽根部及び環状部材がかしめ部よりも下方に入り込み、かしめ部よりも下方の溶接ワイヤコイルも押さえることができるため、最下層の溶接ワイヤまで絡み及びもつれを生じることなく、円滑に巻き解くことができる。
【発明を実施するための最良の形態】
【００２４】
以下、本発明の実施形態に係る溶接ワイヤ収納用容器について、添付の図面を参照して具体的に説明する。図１（ａ）は本実施形態の溶接ワイヤ収納容器を示す断面図であり、図１（ｂ）はその平面図である。本実施形態の溶接ワイヤ収納容器は、円筒状の外筒１の下端部よりも少し上部がかしめられており、このかしめ部の直近下部に容器の底部を形成する底板５が嵌め込まれ、外筒１の内部に保持されている。この底板５は、外筒１のかしめ部及び底板５の底面を包み込む金属補強帯（図示せず）により、外筒１に固定されている。また、一般に、溶接ワイヤ収納容器には、２５０乃至５００ｋｇの溶接ワイヤが収納されるため、運搬時及び吊り下げ移送時に安全強固な構造が要求される。このため、軽量化及び電気絶縁性の観点から、本実施形態の溶接ワイヤ収納容器における外筒１は、厚さが厚い紙等で形成されている。
【００２５】
本実施形態の溶接ワイヤ収納容器においては、外筒１の内部に外筒１よりも直径が小さい円筒状の内筒６が外筒１と同軸的に配置されており、内筒６の下端部は底板５上に固定されている。そして、溶接ワイヤ１０ａは、底板５上に円軌跡に沿って中心軸を移動変位させるようにして巻回されて収納されている。
【００２６】
また、本実施形態の溶接ワイヤ収納容器は、巻回された溶接ワイヤコイル１０の上に載置され、溶接ワイヤの跳ね上がりを防止する押さえ治具２と、この押さえ治具２上に載置され溶接ワイヤコイルを下方に押圧する環状平板３とを備えている。図２は押さえ治具２及び環状平板３の形状を示す斜視図であり、図３は押さえ治具２の羽根部の形状を示す拡大斜視図である。図２及び図３に示すように、押さえ治具２は、管部２ａの下部内縁から中心に向かって複数の羽根部２ｂが延出している。この押さえ治具２における管部２ａは、例えば、紙製の帯を丸めることにより形成されており、その端部は相互に接合されていないため、押さえ治具２の直径は外筒１の内径に応じて調節することができる。なお、管部２ａは、紙製の帯の両端部が重なり合うように丸められていることが好ましい。
【００２７】
また、押さえ治具２における羽根部２ｂの形状は、先端になるに従い幅が狭くなる平面視で略三角形状であり、例えば、ＰＥＴ（Poly-Ethylene-Terephthalate；ポリエチレンテレフタレート）樹脂等の透明な樹脂材料により形成されている。この羽根部２ｂは、その先端が内筒６に接触しない程度の長さになっている。即ち、羽根部２ｂの先端を結んだ線により形成される円の直径は、内筒６の外径よりも大きくなっている。
【００２８】
本実施形態の溶接ワイヤ収納容器においては、羽根部２ｂをその先端が内筒６に接触しない程度の長さにしているが、本発明はこれに限定されるものではなく、羽根部２ｂを内筒６に接触させてもよい。羽根部２ｂを内筒６に接触させることにより、ワイヤをより安定して引き出すことができる。但し、羽根部２ｂを内筒６に接触させると、押さえ治具２が下降する際の抵抗が増すため、羽根部２ｂは、押さえ治具２がスムーズに下降できる長さにすることが望ましい。一方、本実施形態の溶接ワイヤ収納容器のように、羽根部２ｂの先端が内筒６に接触しない場合は、押さえ治具２はスムーズに下降することができるが、ワイヤの引き出しは若干不安定になることがある。よって、羽根部２ｂの長さは、引き出すワイヤの抗張力、抗張力のばらつき、ワイヤ径等のワイヤ性状に応じて、適宜選択することが望ましい。なお、押さえ治具２の質量は、例えば、３００乃至３７０ｇであり、押さえ治具２の質量と環状平板３の質量とを合わせた総質量は、例えば、８００乃至１５００ｇ程度である。
【００２９】
一方、環状平板３は、例えば、紙、プラスチック、金属及び合板等により形成されており、内径が内筒６の外径よりも大きい。また、環状平板３の外径は外筒１の最小内径、即ち、かしめ部の内径よりも小さくなっている。具体的には、例えば、内筒６の外径は外筒１の内径に拘わらず３１０ｍｍであり、外筒１の公称内径が５００ｍｍの場合、外筒１の最小内径が４８０ｍｍであり、環状平板３の内径は３２５乃至３３５ｍｍであり、外径は４６０乃至４７０ｍｍである。また、環状平板３の厚さは、例えば、３ｍｍ程度である。なお、外筒１の公称内径が６００ｍｍ及び６６０ｍｍの場合には、それに応じて環状平板３の外径を大きくすればよい。更に、この環状平板３上には、質量を調節するために鋼製の平板等からなる錘４が略等間隔に配置されている。環状平板３と錘４との総質量は、収納される溶接ワイヤの種類及び巻き方等に応じて適宜選択することができるが、例えば、直径が１．２ｍｍ又は１．４ｍｍのソリッドワイヤに適用する場合は、環状平板３と錘４との総質量が８００乃至９００ｇになるように調節することが好ましい。
【００３０】
次に、上述の如く構成された本実施形態の溶接ワイヤ収納容器の動作、即ち、溶接ワイヤを容器に収納する方法及び容器入り溶接ワイヤを巻き解く方法について説明する。先ず、溶接ワイヤを容器に収納する際は、底板５上に下方から上方に向かって、円軌道に沿って中心軸を移動変位させながら積層される。そして、積層された溶接ワイヤコイル１０の上には押さえ治具２が載置され、更に、押さえ治具２の羽根部２ａ上には錘４が取り付けられた環状平板３が溶接ワイヤコイル１０と同軸的に載置されて容器入り溶接ワイヤとなる。
【００３１】
この容器入り溶接ワイヤを運搬及び保管する際は、外筒１の上端部に蓋（図示せず）が被せられる。その際、押さえ治具２と蓋の間には、紙製のスペーサ（図示せず）が配置される。本実施形態の溶接ワイヤ収納容器において使用されるスペーサとしては、例えば、内部に１又は複数本のひも又は帯状の弾性部材が張られている角筒内に、この角筒よりも小径の角筒が挿入され、この小径の角筒が大径の角筒から突出している構成のものが使用される。このスペーサは、小径の角筒の下端部が大径の角筒内に張られた弾性部材に保持されているため、小径の角筒が突出している高さを、蓋と押さえ板２との距離に応じて変化させることができる。このため、移動時の振動等によりワイヤの巻きがきつくなり、溶接ワイヤコイルの高さが低くなっても、溶接ワイヤコイルを下方に押圧することができる。その結果、移動時の振動によって溶接ワイヤコイルがほどけて、巻き解き時に絡み及びもつれが生じることを防止することができる。
【００３２】
一方、溶接ワイヤ１０ａを巻き解く際は、蓋及びスペーサを取り除き、内筒６と環状平板３との間から巻回時のワイヤ終端を引き出し、この部分を巻き解き始端として溶接ワイヤコイル１０の上層から下層に向かって巻き解く。このとき、押さえ治具２及び環状平板３は、溶接ワイヤコイル１０の高さが低下するに従い下方に移動する。
【００３３】
本実施形態の溶接ワイヤ収納容器は、環状平板３の外径が外筒１のかしめ部の内径よりも小さく、更に、羽根部２ｂがＰＥＴ等の柔軟な樹脂材料で形成されているため、管部２ａがかしめ部で保持され、かしめ部より下方に移動できなくなった場合でも、羽根部２ａ及び環状平板３がかしめ部よりも下方に入り込めるため、かしめ部よりも下方の溶接ワイヤコイル１０も押さえることができる。その結果、従来の溶接ワイヤ収納容器のように底の嵩上げ等を行わなくても、最下層の溶接ワイヤまで絡み及びもつれを生じることなく、円滑に巻き解くことができる。このように、本実施形態の溶接ワイヤ収納容器は、使用途中で供給が停止することがないので、複数個の容器入り溶接ワイヤを連続して使用する場合に特に有効である。
【００３４】
また、本実施形態の溶接ワイヤ収納容器においては、押さえ治具２の管部２ａが外筒１の内面に接しながら移動する。このため、押さえ治具２と外筒１との間に隙間が生じないため、溶接ワイヤコイルの外筒１側の部分からワイヤが飛び出すことを防止することができる。従って、図２に示す従来の溶接ワイヤ収納容器に設けられていたひも及びリングは不要になる。更に、本実施形態の溶接ワイヤ用収納容器の押さえ治具２は、紙等により形成された管部２ａが外筒１の内面に沿って移動するため、外筒１の内部に内筒６が設けられていない収納容器にも適用することができる。
【００３５】
更にまた、本実施形態のワイヤ収納容器の押さえ治具２は、羽根部２ｂの先端が内筒６の外側面に接触せずに移動するため、巻き解き時に押さえ治具２が斜めになりにくく、従来の押さえ板よも絡み及びもつれを防止する効果が高い。更にまた、本実施形態の溶接ワイヤ収納容器においては、押さえ治具２の羽根部２ｂをＰＥＴ等の透明な樹脂材料により形成しているため、溶接ワイヤコイル１０の残量を目視により容易に確認することができる。このため、環状平板３に、従来の押さえ板のように、溶接ワイヤコイル１０の残量を確認するための開口部を設ける必要がない。
【００３６】
なお、本実施形態の溶接ワイヤ収納容器の押さえ治具２は、平面視で略三角形の羽根部２ｂが管部２ａに対して略垂直になるように取り付けられているが、本発明これに限定されるものではなく、例えば、羽根部の一部が内側に折り曲げられていてもよい。図４（ａ）及び（ｂ）は押さえ治具の羽根部の他の形状を示す拡大斜視図である。図４（ａ）に示す押さえ治具は、羽根部１２ｂの管部１２ａ側の端部が内側に折り曲げられて傾斜している。この傾斜部の傾斜角度α、高さａ及び幅ｂは、かしめ部の形状に応じて適宜設定することができるが、本実施形態においては、例えば、傾斜角度αが４６°乃至５０°であり、高さａが１７乃至２１ｍｍであり、幅ｂが１５ｍｍ程度である。このように、羽根部１２ｂの管部１２ａ側の端部を内側に折り曲げて傾斜させることにより、羽根部１２ｂがかしめ部に入り込みやすくすることができるため、かしめ部における溶接ワイヤの絡み及びもつれを防止する効果が向上する。
【００３７】
更に、図４（ｂ）に示すように、羽根部２２ｂの管部２２ａ側の端部に傾斜部を形成し、更に、羽根部２２ｂの先端部を内側に折り曲げてもよい。これにより、環状平板３を羽根部上に載置する際の位置決めが容易になると共に、この折り曲げ部により環状平板３の内縁が保持されるため、巻き解き時に環状平板３が横方向に移動することを防止することができる。
【００３８】
次に、本実施形態の変形例に係る溶接ワイヤ収納容器について説明する。図５は本実施形態の変形例の溶接ワイヤ収納容器における押さえ治具及びリングの形状を示す斜視図である。前述の第１実施形態の溶接ワイヤ収納容器においては、押さえ治具２の上に紙製の環状平板３を載置しているが、本発明はこれに限定されるものではなく、例えば、図５に示すように、押さえ治具２の上に縦断面が矩形である金属製のリング７を載置してもよい。このリング７は、前述の環状平板３と同様に、内径が内筒６の外径よりも大きく、外径が外筒１の最小内径よりも小さくなっている。具体的には、例えば、内筒６の外径が３１０ｍｍであり、外筒１の最小内径が４８０ｍｍである場合、リング７の内径は３５０乃至３６０ｍｍであり、外径は４６０乃至４７０ｍｍである。このように、本変形例の溶接ワイヤ収納容器においては、リング７を金属により形成しているため、錘が不要になる。なお、リング７の質量は、収納される溶接ワイヤの種類及び巻き方等に応じて適宜設定することができるが、例えば、直径が１．２ｍｍ又は１．４ｍｍのソリッドワイヤに適用する場合は、８００乃至９００ｇにすることが好ましく、押さえ治具２及びリング７の合計の質量は１１００乃至１５００ｇ程度であることが好ましい。
【００３９】
本変形例におけるリング７は、複数の部材を溶接接合してつなぎ合わせることにより形成することができるが、本発明はこれに限定されるものではなく、一体成形されたものでもよい。また、図６に示すように、直径が異なるリング８ａ及びリング８ｂが、複数の金属棒９によって相互に平行になるように保持されている部材を使用することもできる。この場合、大径のリング８ａは、内径が内筒６の外径よりも大きく、外径が最小内径よりも小さいことが好ましい。また、この部材を押さえ治具２上に載置する際は、小径のリング８ｂを下側にして配置する。これにより、羽根部１２ｂがかしめ部に入り込みやすくなるため、かしめ部における溶接ワイヤの絡み及びもつれを防止する効果を向上させることができる。
【００４０】
なお、本変形例の溶接ワイヤ収納容器の構成は、押さえ治具２の羽根部２ｂ上に、環状平板３ではなくリングを載置している以外は、前述の第１実施形態と同様である。従って、前述の第１実施形態の溶接ワイヤ収納容器と同様の方法で、溶接ワイヤを収納して容器入り溶接ワイヤとすることができると共に、絡み及びもつれを生じることなく、最下層の溶接ワイヤまで円滑に巻き解くことができる。
【図面の簡単な説明】
【００４１】
【図１】（ａ）は本発明の実施形態の溶接ワイヤ収納容器を示す断面図であり、（ｂ）はその平面図である。
【図２】図１に示す押さえ治具２及び環状平板３の形状を示す斜視図である。
【図３】押さえ治具２の羽根部の形状を示す拡大斜視図である。
【図４】（ａ）及び（ｂ）は押さえ治具の羽根部の他の形状を示す拡大図である。
【図５】本発明の実施形態の変形例の溶接ワイヤ収納容器における押さえ治具及びリングの形状を示す斜視図である。
【図６】図５に示すリングの他の形状を示す斜視図である。
【図７】（ａ）は従来の容器入り溶接ワイヤを模式的に示す斜視図であり、（ｂ）はその断面図であり、（ｃ）は押さえ板を示す斜視図である。
【図８】底が嵩上げされた溶接ワイヤ収納容器の一部を示す断面図である。
【図９】特許文献５に記載の溶接ワイヤ収納容器の押さえ板を示す平面図である。
【符号の説明】
【００４２】
１、１０１；外筒
２；押さえ治具
２ａ；管部
２ｂ；羽根部
３、１２１；環状平板
４；錘
５、１０５；底板
６、１０６；内筒
７、８ａ、８ｂ、１０３；リング
９；金属棒
１０、１００；溶接ワイヤコイル
１０ａ、１００ａ；溶接ワイヤ
１０２、１２０；押さえ板
１０７；クランプ
１０８；ひも
１０９；円盤
１２２；羽根材
【図１】
2005169449.tif 000003
【図２】
2005169449.tif 000004
【図３】
2005169449.tif 000005
【図４】
2005169449.tif 000006
【図５】
2005169449.tif 000007
【図６】
2005169449.tif 000008
【図７】
2005169449.tif 000009
【図８】
2005169449.tif 000010
【図９】
2005169449.tif 000011